(57)【要約】【課題】他の利用者端末が保有するコンテンツをコンテンツ再生装置に再生させることができるコンテンツ情報プログラム、コンテンツ再生装置及びコンテンツ再生システムを提供する。【解決手段】スマートフォン３０２は、自装置が保有するコンテンツのうち、他装置に公開可能なコンテンツの公開リスト３０２をＡＶレシーバ１００へ送信する。ＡＶレシーバ１００は、公開リスト３０２をスマートフォン３０１へ送信する。スマートフォン３０１は、公開リスト３０２を表示し、公開リスト３０２の中からコンテンツ名称を利用者に選択させる。すなわち、スマートフォン３０１の利用者は、スマートフォン３０２が保有するコンテンツを選択することができる。スマートフォン３０１は、利用者が選択したコンテンツ名称の再生要求をＡＶレシーバ１００へ送信する。ＡＶレシーバ１００は、受信した再生要求に従ってコンテンツを再生する。【選択図】図５
2016142959.tif 000002
【特許請求の範囲】
【請求項１】
コンテンツを保有する利用者端末に所定の処理を実行させるコンテンツ情報プログラムであって、
前記コンテンツの第１リストをコンテンツ再生装置へ送信するステップと、
前記コンテンツ再生装置から、他の利用者端末が保有するコンテンツの第２リストと、前記第１リストとを併合した共有リストを受信するステップと、
前記共有リストを表示するステップと、
表示された前記共有リストのコンテンツのうち、再生対象となるコンテンツの選択操作を受け付けるステップと、
前記再生対象となるコンテンツの再生要求を前記コンテンツ再生装置へ送信するステップと、
を前記利用者端末に実行させるコンテンツ情報プログラム。
【請求項２】
前記利用者端末に、前記他の利用者端末への公開を許可するコンテンツの選択操作を受け付けるステップを実行させ、
前記第１リストは、公開が許可されたコンテンツの公開リストである、
請求項１に記載のコンテンツ情報プログラム。
【請求項３】
前記コンテンツ再生装置から認証情報を無線で受信するステップと、
前記認証情報に対する応答として接続要求を無線で送信するステップと、
前記接続要求に対する応答を無線で受信して前記コンテンツ再生装置との接続を確立するステップと、を前記利用者端末に実行させ、
前記第１リスト及び前記共有リストは、前記コンテンツ再生装置との接続の確立後に送受信される、
請求項１又は２に記載のコンテンツ情報プログラム。
【請求項４】
コンテンツを保有する複数の利用者端末に接続されるコンテンツ再生装置であって、
各利用者端末が保有するコンテンツの各リストを受信するリスト受信部と、
前記リスト受信部が受信する各リストを併合した共有リストを各利用者端末へ送信するリスト送信部と、
各利用者端末に表示された共有リストのコンテンツのうち、再生対象となるコンテンツの再生要求を各利用者端末から受信する再生要求受信部と、
前記再生要求受信部が受信した再生要求に示すコンテンツを、該コンテンツを保有する利用者端末から取得し、取得したコンテンツを再生する再生部と、
を備えるコンテンツ再生装置。
【請求項５】
コンテンツを保有する複数の利用者端末と、各利用者端末に接続されるコンテンツ再生装置とを備えるコンテンツ再生システムであって、
前記利用者端末は、
自端末が保有するコンテンツのリストを前記コンテンツ再生装置へ送信するリスト送信部と、
各利用者端末が保有するコンテンツの各リストを併合した共有リストを前記コンテンツ再生装置から受信するリスト受信部と、
前記リスト受信部が受信した共有リストを表示する表示部と、
前記表示部が表示した共有リストのコンテンツのうち、再生対象となるコンテンツを選択する操作を受け付ける受付部と、
前記再生対象となるコンテンツの再生要求を送信する再生要求送信部と、
を備え、
前記コンテンツ再生装置は、
前記利用者端末の前記再生要求送信部が送信した再生要求に示すコンテンツを、該コンテンツを保有する利用者端末から取得し、取得したコンテンツを再生する再生部、
を備える、
コンテンツ再生システム。
【発明の詳細な説明】
【技術分野】
【０００１】
本発明は、利用者端末が保有するコンテンツの情報を扱うコンテンツ情報プログラムと、利用者端末から取得したコンテンツを再生するコンテンツ再生装置と、に関する。
【背景技術】
【０００２】
利用者端末が保有するコンテンツの情報を扱うコンテンツ情報プログラムと、利用者端末から取得したコンテンツを再生するコンテンツ再生装置と、に関し、例えば、特許文献１には、コンテンツとして音声データを記憶する３台のソース機器（利用者端末）と、各ソース機器から取得した音声データを再生するシンク機器（コンテンツ再生装置）とからなるコンテンツ再生システムが開示されている。
【０００３】
より具体的には、特許文献１に開示されたコンテンツ再生システムでは、利用者端末が実行するコンテンツ情報プログラムは、自端末が保有するコンテンツの再生要求をコンテンツ再生装置へ送信する。そして、コンテンツ再生装置は、各利用者端末から再生要求を受信すると、各再生要求に示す各コンテンツ名を含む再生リストを作成及び更新する。コンテンツ再生装置は、再生リストに従ってコンテンツを再生する。これにより、各利用者端末の利用者は、コンテンツを共有で視聴することができる。
【先行技術文献】
【特許文献】
【０００４】
【特許文献１】国際公開第２０１２／１１７４５２号公報
【発明の概要】
【発明が解決しようとする課題】
【０００５】
しかしながら、特許文献１に開示されたコンテンツ再生システムでは、利用者端末が実行するコンテンツ情報プログラムは、該利用者端末が保有するコンテンツの再生要求のみを送信するので、他の利用者端末が保有するコンテンツをコンテンツ再生装置に再生させることができない。
【０００６】
そこで、本発明の目的は、他の利用者端末が保有するコンテンツをコンテンツ再生装置に再生させることができる利用者端末のコンテンツ情報プログラム、当該コンテンツ再生装置、及び当該コンテンツ再生装置を含むコンテンツ再生システムを提供することにある。
【課題を解決するための手段】
【０００７】
本発明のコンテンツ再生システムは、コンテンツを保有する複数の利用者端末と、各利用者端末に接続されるコンテンツ再生装置とを備える。ただし、コンテンツの保有の態様は、利用者端末が自端末にコンテンツを記憶する態様に限らず、利用者端末に接続するサーバが当該利用者端末用のコンテンツを記憶する態様であっても構わない。
【０００８】
また、本発明は、コンテンツ再生システムに限らず、コンテンツ再生装置、及び利用者端末に実行されるコンテンツ情報プログラムであっても構わない。
【０００９】
利用者端末は、自端末が保有するコンテンツのリストをコンテンツ再生装置へ送信するリスト送信部と、各利用者端末が保有するコンテンツの各リストを併合した共有リストを前記コンテンツ再生装置から受信するリスト受信部と、リスト受信部が受信した共有リストを表示する表示部と、表示部が表示した共有リストのコンテンツのうち、再生対象となるコンテンツを選択する操作を受け付ける受付部と、再生対象となるコンテンツの再生要求を送信する再生要求送信部と、を備える。
【００１０】
コンテンツ再生装置は、前記利用者端末の前記再生要求送信部が送信した再生要求に示すコンテンツを、該コンテンツを保有する利用者端末から取得し、取得したコンテンツを再生する再生部を備える。
【００１１】
本発明のコンテンツ再生システムでは、コンテンツ情報プログラムは、共有リストに含まれるリストであって、他の利用者端末が保有するコンテンツのリストを表示するので、表示されたリストのコンテンツの再生要求を送信することで、他の利用者端末が保有するコンテンツをコンテンツ再生装置に再生させることができる。
【００１２】
また、コンテンツ情報プログラムは、利用者端末に、他の利用者端末への公開を許可するコンテンツの選択操作を受け付けるステップを実行させ、利用者端末が送信するリストは、公開が許可されたコンテンツの公開リストであっても構わない。
【００１３】
これにより、利用者端末の利用者は、他の利用者端末の利用者に視聴させたいコンテンツのみを、選択することができる。
【００１４】
また、コンテンツ再生システムでは、利用者端末は、コンテンツ再生装置から認証情報を無線で受信し、認証情報に対する応答として接続要求を無線で送信することで、コンテンツ再生装置との接続を確立してもよい。さらに、利用者端末は、認証情報を用いて接続を確立した後に、リスト及び共有リストを送信してもよい。
【００１５】
この態様では、利用者端末は、接続パスワード等の操作入力を必要とせずに、無線に応答するのみで、コンテンツ再生装置と接続できる。同様に、他の利用者端末も、受信した電波に応答するのみで、コンテンツ再生装置と接続できる。これにより、複数の利用者端末は、コンテンツ再生装置が出力する電波の範囲に位置するだけで、それぞれコンテンツ再生装置と接続する接続グループを確立することができる。
【発明の効果】
【００１６】
本発明によれば、他の利用者端末が保有するコンテンツをコンテンツ再生装置に再生させることができる。
【図面の簡単な説明】
【００１７】
【図１】本発明の実施形態に係るコンテンツ再生システムの概要を説明するための図である。
【図２】（Ａ）は、スマートフォンの構成の一部を示すハードウェアブロック図であり、（Ｂ）は、ＡＶレシーバの構成の一部を示すハードウェアブロック図である。
【図３】コンテンツ再生システムにおける各スマートフォン及びＡＶレシーバの動作を示すフローチャートである。
【図４】（Ａ）は、接続確立処理例を説明するためのコンテンツ再生システムの模式的な平面設置図であり、（Ｂ）は、接続確立処理例を説明するためのスマートフォン及びＡＶレシーバの各動作を示すフローチャートである。
【図５】共有リストの作成処理例を説明するための各スマートフォン及びＡＶレシーバの各動作を示すフローチャートである。
【図６】公開リストの作成時におけるスマートフォンの表示例を示す図である。
【図７】（Ａ）及び（Ｂ）は、それぞれ公開リストの例を示す図であり、（Ｃ）は、共有リストの例を示す図であり、（Ｄ）は、再生リストの例を示す図である。
【図８】再生すべき楽曲データを選択する際のスマートフォンの表示例を示す図である。
【図９】共有リストの変形例を示す図である。
【発明を実施するための形態】
【００１８】
実施形態１に係るコンテンツ再生システム９００について、図１、図２（Ａ）、及び図２（Ｂ）を用いて説明する。図１は、コンテンツ再生システム９００の概要を説明するための図である。図２（Ａ）は、スマートフォン３０１の構成の一部を示すハードウェアブロック図であり、図２（Ｂ）は、ＡＶレシーバ１００の構成の一部を示すハードウェアブロック図である。
【００１９】
図１に示すように、コンテンツ再生システム９００は、ＡＶレシーバ１００と、２台のスピーカ２００Ｌ及びスピーカ２００Ｒと、３台のスマートフォン３０１、スマートフォン３０２及びスマートフォン３０３と、を備えるものである。ＡＶレシーバ１００と、スマートフォン３０１、スマートフォン３０２及びスマートフォン３０３とは、例えばＢｌｕｅｔｏｏｔｈ（登録商標）規格で接続される。ただし、ＡＶレシーバ１００と、スマートフォン３０１、スマートフォン３０２及びスマートフォン３０３との接続は、他の規格（例えばＷｉ−Ｆｉ（登録商標））で行われてもよい。
【００２０】
ＡＶレシーバ１００は、コンテンツ再生装置に相当する。スマートフォン３０１、スマートフォン３０２及びスマートフォン３０３は、利用者端末に相当する。ただし、コンテンツ再生装置は、オーディオプレーヤ及びヘッドフォン型プレーヤ等であっても構わない。利用者端末は、電話機能を有さない音楽端末及びウェアラブル端末であっても構わない。以下、スマートフォン３０１、スマートフォン３０２及びスマートフォン３０３をスマートフォン３０１〜３０３と省略して説明する。
【００２１】
コンテンツ再生システム９００では、スマートフォン３０１〜３０３は、それぞれコンテンツを保有する。スマートフォン３０１〜３０３は、それぞれ、ＡＶレシーバ１００にコンテンツを再生させるための再生要求をＡＶレシーバ１００へ送信する。ＡＶレシーバ１００は、再生要求を受信すると、再生要求に示すコンテンツをスマートフォン３０１〜３０３のいずれかから受信しつつ、当該コンテンツを再生する。
【００２２】
本実施形態に係るコンテンツ再生システム９００では、スマートフォン３０１は、自端末が保有するコンテンツのみならず、他端末（スマートフォン３０２及びスマートフォン３０３）が保有するコンテンツをＡＶレシーバ１００に再生させることができる。同様に、スマートフォン３０２及びスマートフォン３０３は、それぞれに、他端末が保有するコンテンツをＡＶレシーバ１００に再生させることができる。
【００２３】
以下、本実施形態では、コンテンツを楽曲データとして説明するが、コンテンツは映像データであっても構わない。
【００２４】
次に、コンテンツ再生システム９００の構成について説明する。図２（Ａ）に示すように、スマートフォン３０１は、タッチパネル３１と、ディスプレイ３２と、プロセッサ３３と、メモリ３４と、無線モジュール３５とを備えている。各構成は共通のＢＵＳに接続されている。
【００２５】
スマートフォン３０１のプロセッサ３３は、他の各構成を統括的に制御する。無線モジュール３５は、Ｂｌｕｅｔｏｏｔｈ（登録商標）規格による情報の送受信を実現する。タッチパネル３１は、利用者からの操作入力の受け付けを実現する。スマートフォン３０１は、タッチパネル３１とディスプレイ３２とでＧＵＩ（Ｇｒａｐｈｉｃａｌ  Ｕｓｅｒ  Ｉｎｔｅｒｆａｃｅ）を実現する。メモリ３４は、コンテンツとして楽曲データを記憶する。メモリ３４は、プログラムを記憶する。メモリ３４に記憶されるプログラムは、プロセッサ３３によって実行される。このプログラムの実行により、他端末（スマートフォン３０２及びスマートフォン３０３）が保有する楽曲データを、ＡＶレシーバ１００に再生させる機能が実現される。
【００２６】
スマートフォン３０２及びスマートフォン３０３は、それぞれスマートフォン３０１の各構成を備える。すなわち、スマートフォン３０２及びスマートフォン３０３は、スマートフォン３０１と同様に、それぞれＧＵＩを実現する。スマートフォン３０２及びスマートフォン３０３は、スマートフォン３０１と同様に、楽曲データを記憶する。
【００２７】
図２（Ｂ）に示すように、ＡＶレシーバ１００は、ＣＰＵ（Ｃｅｎｔｒａｌ  Ｐｒｏｃｅｓｓｉｎｇ  Ｕｎｉｔ）１と、メモリ２と、ＤＳＰ（Ｄｉｇｉｔａｌ  Ｓｉｇｎａｌ  Ｐｒｏｃｅｓｓｏｒ）３と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ（ＨＤＭＩは登録商標））４と、無線モジュール５と、ＡＭＰ（Ａｍｐｌｉｆｉｅｒ）６と、を備える。各構成は、共通のＢＵＳに接続されている。
【００２８】
ＤＳＰ３は、音声データに対する各種音響処理のためのプロセッサである。ＨＤＭＩ４は、楽曲データを含むコンテンツデータを送受信するためのインターフェースである。無線モジュール５は、Ｂｌｕｅｔｏｏｔｈ（登録商標）規格の通信を実現する。ＡＭＰ６は、音声信号を増幅する回路である。ＡＭＰ６によって増幅された音声信号は、スピーカ２００Ｌ及びスピーカ２００Ｒへ出力される。
【００２９】
メモリ２は、プログラムと、スマートフォン３０１〜３０３から送信される公開リストとを記憶する。ＣＰＵ１は、メモリ２からプログラムを読み出し、読み出したプログラムを実行する。公開リストの併合機能を含むＡＶレシーバ１００の各機能は、当該プログラムの実行により実現される。公開リストの併合機能は後述する。
【００３０】
次に、図３を用いて、コンテンツ再生システム９００におけるＡＶレシーバ１００、スマートフォン３０１、及びスマートフォン３０２の各動作を説明する。図３は、ＡＶレシーバ１００、スマートフォン３０１、及びスマートフォン３０２の各動作を示すフローチャートである。ただし、図３の点線矢印は、情報の送信方向を示す。また、スマートフォン３０３の動作の説明は省略する。
【００３１】
スマートフォン３０１、スマートフォン３０２及びＡＶレシーバ１００は、まず、ＡＶレシーバ１００が親機となり、スマートフォン３０１及びスマートフォン３０２が子機となる態様で接続するために、接続確立処理を行う（Ｓ１００）。
【００３２】
接続確立処理例について、図４（Ａ）及び図４（Ｂ）を用いて説明する。図４（Ａ）は、接続確立処理例を説明するためのコンテンツ再生システム９００の模式的な平面設置図であり、図４（Ｂ）は、接続確立処理例を説明するためのスマートフォン３０１及びＡＶレシーバ１００の各動作を示すフローチャートである。
【００３３】
図４（Ａ）に示すように、ＡＶレシーバ１００は、自装置の周囲にビーコン９００Ｂを所定時間（例えば１秒）毎に出力している。ビーコン９００Ｂは、例えば、Ｂｌｕｅｔｏｏｔｈ  Ｌｏｗ  Ｅｎｅｒｇｙ規格（ただし、Ｂｌｕｅｔｏｏｔｈは登録商標）に適合する電波である。ビーコン９００Ｂの出力は、ＡＶレシーバ１００のプログラムが無線モジュール５を制御することで、実現される。
【００３４】
ビーコン９００Ｂは、ＡＶレシーバ１００から例えば１０ｍの範囲内のみに到達する。図４（Ａ）に示す例では、スマートフォン３０１とＡＶレシーバ１００との距離ｄ０１が１０ｍ以下であるので、ビーコン９００Ｂは、スマートフォン３０１に到達する。同様に、ビーコン９００Ｂは、ＡＶレシーバ１００から距離ｄ０２（ただし、ｄ０２≦１０ｍ）だけ離れたスマートフォン３０２に到達する。ビーコン９００Ｂは、ＡＶレシーバ１００から距離ｄ０３（ただし、ｄ０３＞１０ｍ）だけ離れたスマートフォン３０３には到達しない。
【００３５】
ＡＶレシーバ１００は、ビーコンが到達する範囲に位置する各スマートフォンを、同じ空間に位置するものとして扱う。図４（Ａ）に示す例では、ＡＶレシーバ１００は、スマートフォン３０１とスマートフォン３０２とが同じ空間に位置するものとして扱う。
【００３６】
ビーコン９００Ｂには、各スマートフォン３０１，３０２がＡＶレシーバ１００に接続するための認証情報が含まれる。認証情報としては、例えば、接続ＩＤ（Ｉｄｅｎｔｉｆｉｅｒ）である。この認証情報は、ＡＶレシーバ１００のメモリ２に予め記憶されている。
【００３７】
接続確立処理では、まず、スマートフォン３０１は、認証情報を含むビーコン９００Ｂを受信したか否かを判断する（Ｓ１０１）。すなわち、スマートフォン３０１のプロセッサ３３によって実行されるプログラムは、無線モジュール３５を制御することで、ビーコン９００Ｂを受信したか否かを判断する。スマートフォン３０１は、ビーコン９００Ｂを受信していない場合（Ｓ１０１：ＮＯ）、ビーコン９００Ｂを受信するまで待機する。
【００３８】
スマートフォン３０１は、ビーコン９００Ｂを受信した場合（Ｓ１０１：ＹＥＳ）、接続要求を応答としてＡＶレシーバ１００へ送信する（Ｓ１０２）。具体的には、スマートフォン３０１のプログラムは、無線モジュール３５を制御することで、ステップＳ１０１で受信したビーコン９００Ｂに含まれる認証情報を接続要求に含めた無線であって、Ｂｌｕｅｔｏｏｔｈ  Ｌｏｗ  Ｅｎｅｒｇｙ規格に適合する無線を出力させる。接続要求には、認証情報以外に、スマートフォン３０１の識別情報（例えば端末名、ネットワークアドレス、及び予め設定された利用者名）も含まれる。
【００３９】
なお、スマートフォン３０１は、接続要求を送信する前に、ＧＵＩを用いて接続要求を送信すべきか否かを利用者に選択させてもよい。
【００４０】
ＡＶレシーバ１００は、スマートフォン３０１から送信された接続要求を受信すると（Ｓ１１１）、接続グループの管理処理を行う（Ｓ１１２）。接続グループとは、ＡＶレシーバ１００と接続されるスマートフォンのグループである。接続グループの管理処理とは、各スマートフォンがＡＶレシーバ１００に接続されているか否かの情報を管理する処理である。
【００４１】
具体的には、図４（Ａ）に示す例では、スマートフォン３０１及びスマートフォン３０２がＡＶレシーバ１００とＢｌｕｅｔｏｏｔｈ  Ｌｏｗ  Ｅｎｅｒｇｙ規格で接続可能であるので、ＡＶレシーバ１００は、スマートフォン３０１及びスマートフォン３０２の識別情報（端末名等）を接続グループ情報に追加する（Ｓ１１２）。
【００４２】
なお、ＡＶレシーバ１００は、接続グループの管理処理を所定時間（例えば３０秒）毎に行い、接続グループの識別情報に示すスマートフォンが接続可能か否かを判断する。ＡＶレシーバ１００は、スマートフォンが接続できなくなっている場合、接続グループ情報から当該スマートフォンに対応する識別情報を削除する。
【００４３】
次に、ＡＶレシーバ１００は、接続要求に対する応答をスマートフォン３０１へ送信する（Ｓ１１３）。スマートフォン３０１は、その応答を受信する（Ｓ１０３）。これにより、ＡＶレシーバ１００とスマートフォン３０１との接続確立処理は終了する。
【００４４】
なお、接続要求に含まれる認証情報がＡＶレシーバ１００のメモリ２に記憶されているものと異なる場合、ＡＶレシーバ１００のプログラムは、ステップＳ１１２において当該接続要求の送信元を接続グループに追加せず、当該送信元と通信を行わない。
【００４５】
図３に戻り、接続確立処理が終了すると（Ｓ１００）、コンテンツ再生システム９００は、共有可能コンテンツの共有リストの作成処理を行う（Ｓ２００）。
【００４６】
共有リストの作成処理例について、図５のフローチャートを用いて説明する。共有リストとは、各スマートフォンが作成した各公開リストを併合したリストである。公開リストとは、スマートフォンが保有する楽曲データの楽曲名のうち、他のスマートフォンに公開可能な楽曲データの楽曲名を含むリストである。ただし、公開可能とは、他端末において表示されることで、選択可能であることを示す。表示された楽曲名は、利用者に選択されると、対応する楽曲データが再生対象となる。共有リストは、各スマートフォンに参照可能に共有される。
【００４７】
図５に示すように、共有リストの作成処理では、まず、スマートフォン３０１は、公開リスト３０１Ｌを作成する（Ｓ２０１）。例えば、スマートフォン３０１のプログラムは、スマートフォン３０１が保有する楽曲データの楽曲名のうち、スマートフォン３０２及びスマートフォン３０３において表示されてもよい楽曲名を含むリストを公開リスト３０１Ｌとして作成する。具体的には、スマートフォン３０１のメモリ３４は、楽曲データと、楽曲名と、該楽曲名が他端末に公開可能か否かを示す共有情報と、を予め対応付けて記憶している。スマートフォン３０１のプログラムは、メモリ３４を参照し、共有情報が公開可能であることを示す楽曲名を特定し、当該楽曲名を含む公開リスト３０１Ｌを作成する。ただし、楽曲データの記憶場所は、メモリ３４に限らず、例えばスマートフォン３０１が接続されるインターネット上のサーバであっても構わない。
【００４８】
スマートフォン３０１は、公開リスト３０１Ｌを作成する際に、ＧＵＩを用いて利用者に他端末に公開可能な楽曲名を選択させてもよい。例えば、図６のスマートフォン３０１の表示例に示すように、スマートフォン３０１のプログラムは、ディスプレイ３２の表示領域４０１に、いずれの楽曲名を他端末に公開可能とするかを選択することで公開リスト３０１Ｌを作成する旨を表示させる。スマートフォン３０１のプログラムは、図６に示すように、表示領域４０２に、スマートフォン３０１が保有する複数の楽曲データの各楽曲名４０３を、選択ボックス４０４と並べて表示させる。スマートフォン３０１のプログラムは、タッチパネル３２が受け付けたタッチ位置の選択ボックス４０４に対応する楽曲名４０３を公開リスト３０１Ｌに含め、公開リスト３０１Ｌをメモリ３４に記憶させる。
【００４９】
図６に示す例では、スマートフォン３０１が保有する複数の楽曲データのうち、楽曲名１〜７が表示領域４０２に表示されている。利用者は、楽曲名１に対応する選択ボックス４０４と、楽曲名３に対応する選択ボックス４０４と、楽曲名５に対応する選択ボックス４０４とをタッチ操作で選択している。これにより、公開リスト３０１Ｌには、楽曲名１、楽曲名３、及び楽曲名５が含まれるようになる。
【００５０】
スマートフォン３０１は、公開リスト３０１Ｌを作成すると（Ｓ２０１）、図５に示すように、作成した公開リスト３０１ＬをＡＶレシーバ１００へ送信する（Ｓ２０２）。具体的には、スマートフォン３０１のプログラムは、無線モジュール３５を制御することで、Ｂｌｕｅｔｏｏｔｈ  Ｌｏｗ  Ｅｎｅｒｇｙ規格の通信でＡＶレシーバ１００へ公開リスト３０１Ｌを送信する。
【００５１】
同様に、スマートフォン３０２も、自装置が保有する楽曲データに応じた公開リスト３０２Ｌを作成し（Ｓ２２１）、作成した公開リスト３０２ＬをＡＶレシーバ１００へ送信する（Ｓ２２２）。
【００５２】
ＡＶレシーバ１００は、スマートフォン３０１及びスマートフォン３０２から、各公開リスト３０１Ｌ，３０２Ｌを受信する（Ｓ２１１）と、受信した各公開リスト３０１Ｌ，３０２Ｌを併合することで共有リストを作成する（Ｓ２１２）。
【００５３】
ＡＶレシーバ１００による公開リストの併合について、図７を用いて説明する。図７（Ａ）は、ＡＶレシーバ１００がスマートフォン３０１から受信した公開リスト３０１Ｌを示す図である。図７（Ｂ）は、ＡＶレシーバ１００がスマートフォン３０２から受信した公開リスト３０２Ｌを示す図である。図７（Ｃ）は、共有リストを示す図であり、具体的には公開リスト３０１Ｌと公開リスト３０２Ｌとの併合後のリストを示す図である。ただし、スマートフォン３０１では、スマートフォン３０１が保有する楽曲データの楽曲名のうち、楽曲名１、楽曲名３、及び楽曲名５が他端末に公開可能な楽曲名として設定されているものとし、スマートフォン３０２では、スマートフォン３０２が保有する楽曲データの楽曲名のうち、楽曲名１２と楽曲名１４とが他端末に公開可能な楽曲名として設定されているものとする。
【００５４】
公開リスト３０１Ｌには、図７（Ａ）に示すように、楽曲名１、楽曲名３、及び楽曲名５が含まれている。公開リスト３０２Ｌには、図７（Ｂ）に示すように、楽曲名１２及び楽曲名１４が含まれている。図７（Ｃ）に示すように、共有リストには、公開リスト３０１Ｌ及び公開リスト３０２Ｌに含まれる楽曲名が含まれている。すなわち、図７（Ｃ）に示す例では、共有リストには、楽曲名１、楽曲名３、楽曲名５、楽曲名１２、及び楽曲名１４が含まれている。図７（Ｃ）に示す共有リストでは、各楽曲名は、保有端末情報と対応付けられている。保有端末情報とは、楽曲名の楽曲データを保有する端末（スマートフォン）の識別情報である。図７（Ｃ）に示す例では、保有端末情報として、端末名称を用いている。
【００５５】
ＡＶレシーバ１００は、受信した各公開リスト３０１Ｌ，３０２Ｌを併合することで共有リストを作成すると（Ｓ２１２）、図５に示すように、作成した共有リストをスマートフォン３０１及びスマートフォン３０２へ送信する（Ｓ２１３）。スマートフォン３０１及びスマートフォン３０２は、ＡＶレシーバ１００から共有リストを受信する（Ｓ２０３及びＳ２２３）。
【００５６】
図３に戻り、スマートフォン３０１は、共有リストの作成が終わると（Ｓ２００）、再生すべき楽曲データの楽曲名を利用者に選択させる（Ｓ３０１）。具体的には、スマートフォン３０１のプログラムは、ＧＵＩを用いて、楽曲名を利用者に選択させる。例えば、図８のスマートフォン３０１の表示例に示すように、スマートフォン３０１のプログラムは、ディスプレイ３２を制御することで、表示領域４１１に再生対象の楽曲名を選択させる旨を表示させる。スマートフォン３０１のプログラムは、表示領域４１２に図７（Ｃ）に示す共有リストを表示させる。すなわち、スマートフォン３０１のプログラムは、楽曲名４１３と保有端末４１４とを対応付けたリストを表示領域４１２に表示させる。スマートフォン３０１の利用者は、表示領域４１２に表示された楽曲名４１３を選択する。なお、スマートフォン３０１は、複数の楽曲名を選択する操作を受け付けてもよい。
【００５７】
次に、スマートフォン３０１は、再生すべき楽曲データの楽曲名を利用者に選択させると（Ｓ３０１）、図５に示すように、再生要求を送信する（Ｓ３０２）。より具体的には、スマートフォン３０１のプログラムは、タッチパネル３１が受け付けたタッチ位置に表示される楽曲名を特定する。そして、スマートフォン３０１のプログラムは、無線モジュール３５を制御することで、特定した楽曲名を含む再生要求をＡＶレシーバ１００へ送信させる。
【００５８】
同様に、スマートフォン３０２は、共有リストに含まれる楽曲名を選択させる操作を受け付け（Ｓ３２１）、選択された楽曲名を含む再生要求をＡＶレシーバ１００へ送信する（Ｓ３２２）。ただし、図３に示す処理例では、スマートフォン３０２は、スマートフォン３０１が再生要求を送信したタイミングより後のタイミングで、再生要求を送信したものとする。
【００５９】
ＡＶレシーバ１００は、スマートフォン３０１及びスマートフォン３０２から順に再生要求を受信する（Ｓ３１１）。そして、ＡＶレシーバ１００は、各再生要求を受信すると（Ｓ３１１）、各再生要求に含まれる楽曲名を含む再生リストを作成する（Ｓ３１２）。例えば、ＡＶレシーバ１００は、各再生要求を受信した順に、各再生要求に含まれる楽曲名を並べることで再生リストを作成する。図３に示す例では、図７（Ｄ）に示す再生リストが作成されたものとする。すなわち、楽曲名１２を含む再生要求、楽曲名１を含む再生要求、楽曲名１４を含む再生要求、楽曲名３を含む再生要求、及び楽曲名５を含む再生要求が順にＡＶレシーバ１００に受信されたものとする。従って、再生リストの先頭は楽曲名１２であり、再生リストの最後尾は楽曲名５である。
【００６０】
ＡＶレシーバ１００は、再生リストを作成すると（Ｓ３１２）、楽曲データ取得要求を送信する（Ｓ３１３）。図３に示す例では、再生リストの先頭の楽曲名１２は、スマートフォン３０１が送信した再生要求に含まれ、楽曲名１２の楽曲データは、スマートフォン３０１と異なるスマートフォン３０２に保有されているものとする。従って、ＡＶレシーバ１００は、楽曲名１２の楽曲データを取得する要求をスマートフォン３０２へ送信する（Ｓ３１３）。ただし、ＡＶレシーバ１００は、共有リスト（図７（Ｃ）を参照）を参照することで、楽曲名１２の楽曲データを保有しているスマートフォンを特定する。
【００６１】
スマートフォン３０２のプログラムは、無線モジュール３５が楽曲データ取得要求を受信すると（Ｓ３２３）、無線モジュール３５を制御することで、当該楽曲データ取得要求に含まれる楽曲名に示す楽曲データをＡＶレシーバ１００へ送信させる（Ｓ３２４）。なお、スマートフォン３０２のプログラムは、マルチタスク動作を行うことで、楽曲データの送信中に（Ｓ３２４）、共有リストの作成処理（Ｓ２００）及び他の楽曲データの再生要求処理（Ｓ３０１、Ｓ３０２）を行ってもよい。
【００６２】
ＡＶレシーバ１００は、スマートフォン３０２から楽曲データを受信しつつ、該楽曲データを再生する（Ｓ３１４）。すなわち、ＡＶレシーバ１００は、受信する楽曲データに対してＤＳＰ３による所定の音響処理を行い、ＡＭＰ６によって増幅された音声信号をスピーカ２００Ｌ及びスピーカ２００Ｒから出力させる。
【００６３】
なお、ＡＶレシーバ１００は、楽曲名１２の楽曲データの再生を終えると、再生リストの先頭の楽曲名１２を削除し、新たな先頭の楽曲名１の楽曲データの再生を行う。また、ＡＶレシーバ１００は、楽曲データの再生中に、再生要求を受信すると、再生リストを更新する処理を行う。
【００６４】
本実施形態に係るコンテンツ再生システム９００では、スマートフォン３０１のプログラムは、他端末（スマートフォン３０２）が保有する楽曲データの楽曲名を含む共有リスト３０１をディスプレイ３２に表示させ、表示された楽曲名を含む再生要求をＡＶレシーバ１００へ送信させることで、他端末が保有する楽曲データをＡＶレシーバ１００に再生させることができる。
【００６５】
ただし、再生対象となる楽曲データの楽曲名を選択する操作は、ＡＶレシーバ１００によって受け付けられてもよい。具体的には、ＡＶレシーバ１００は、共有リストを表示する表示部と、表示された共有リストに含まれる楽曲名を選択する操作を受け付ける受付部とを備え、利用者から再生リストに追加すべき楽曲名の選択操作を受け付けてもよい。
【００６６】
また、本実施形態に係るコンテンツ再生システム９００では、共有リストに含まれる楽曲名の楽曲データのみが再生対象となる。すなわち、各スマートフォン３０１〜３０３の公開リストに含まれる楽曲名の楽曲データのみが再生対象となる。これにより、例えば、スマートフォン３０１の利用者は、スマートフォン３０２及びスマートフォン３０３の利用者が存在するＡＶレシーバ１００の設置環境で再生させたい楽曲データのみをスマートフォン３０２及びスマートフォン３０３の利用者に選択させることができる。
【００６７】
ただし、本実施形態において、公開リストを作成することは必須ではない。本実施形態は、スマートフォン３０１のプログラムが、スマートフォン３０１が保有する全ての楽曲データの楽曲名からなるリストをＡＶレシーバ１００へ送信し、ＡＶレシーバ１００が、スマートフォン３０１が保有する全ての楽曲データの楽曲名を含むように共有リストを作成する態様であっても構わない。
【００６８】
また、本実施形態に係るコンテンツ再生システム９００では、スマートフォン３０１は、ＡＶレシーバ１００が出力するビーコンの受信範囲に位置するのみで、パスワード等の入力操作を求めることなく、接続グループを確立することができる。
【００６９】
なお、上述の例は、コンテンツが楽曲データであったが、各スマートフォン３０１〜３０３がコンテンツとして映像データを保有する場合、ＡＶレシーバ１００は、各スマートフォン３０１〜３０３から送信される映像データをＨＤＭＩ４に接続される表示装置に出力する。
【００７０】
次に、変形例に係る共有リストについて、図９を用いて説明する。上述の例では、ＡＶレシーバ１００は、各公開リストに含まれる楽曲名を並べたのみで共有リストを作成したが、接続グループに属する全てのスマートフォンで保有する楽曲データの頻度と楽曲名とを対応付けて共有リストを作成してもよい。ここで、頻度とは、楽曲データを保有するスマートフォンの台数を示す。
【００７１】
例えば、ＡＶレシーバ１００に１０台のスマートフォン３０１〜３１０が接続されているものとする。そして、スマートフォン３０１〜３１０のうち、８台のスマートフォンが楽曲名３の楽曲データを保有し、スマートフォン３０１〜３１０のうち、１台のスマートフォンが楽曲名１２の楽曲データを保有しているものとする。ただし、楽曲名３及び楽曲名１２は、各スマートフォンの公開リストに含まれていたものとする。
【００７２】
上述の例において、共有リストでは、図９に示すように、頻度８と、楽曲名３とが対応付けられる。共有リストでは、頻度１と、楽曲名１２とが対応付けられる。各スマートフォン３０１〜３１０のプログラムは、図９に示す共有リストを表示する。これにより、各スマートフォン３０１〜３１０の利用者は、１０人の利用者中、ほとんどの利用者（８名の利用者）が楽曲名３の楽曲データを保有し、楽曲名１２の楽曲データを保有している利用者がほとんど存在しないことを認識できる。従って、利用者は、保有している人が多いコンテンツを選択したり、保有している人が少ないコンテンツを選択したりすることができる。
【００７３】
上述の例は、コンテンツ再生装置として音声信号を外部のスピーカへ出力するＡＶレシーバを用いて説明したが、コンテンツ再生装置は、スピーカを備えるものであってもかまわない。また、コンテンツ再生装置は、室内に設置されるものに限らず、例えば車内に設置されるカーオーディオ装置であってもかまわない。
【符号の説明】
【００７４】
１００…ＡＶレシーバ
２００Ｌ，２００Ｒ…スピーカ
３０１，３０２，３０３…スマートフォン
１…ＣＰＵ
２…メモリ
３…ＤＳＰ
４…ＨＤＭＩ（登録商標）
５…無線モジュール
６…ＡＭＰ
３１…タッチパネル
３２…ディスプレイ
３３…プロセッサ
３４…メモリ
３５…無線モジュール
【図１】
2016142959.tif 000003
【図２】
2016142959.tif 000004
【図３】
2016142959.tif 000005
【図４】
2016142959.tif 000006
【図５】
2016142959.tif 000007
【図６】
2016142959.tif 000008
【図７】
2016142959.tif 000009
【図８】
2016142959.tif 000010
【図９】
2016142959.tif 000011